(57)【要約】【課題】外部周辺装置に対しユニバーサルコードを接続して内視鏡を使用する場合にあってはユニバーサルコードの軽快な回転性能が得られる一方、外部周辺装置からユニバーサルコードを取り外した場合にはシール性を確保できるようにした内視鏡を提供する。【解決手段】ユニバーサルコード１４に接続された、球状の外面を有したボール５４と、上記ボール５４の外面に被嵌するスリーブ５３との間にシール部材５５を設け、ボール５４とスリーブ５３との相対的位置を変更し、ボール５４とスリーブ５４との間の締付け力を調節する操作ができるようにした内視鏡。【選択図】      図３
2009285304.tif 000002
【特許請求の範囲】
【請求項１】
外部周辺装置に対し着脱可能なコネクタを備えたユニバーサルコードを有する内視鏡において、
上記コネクタ及び上記ユニバーサルコードの一方に保持された、球状の外面を有したボールと、
上記コネクタ及び上記ユニバーサルコードの他方に保持され、上記ボールの球状外面に被嵌する内面を有し、かつ上記ボールに対し、上記ユニバーサルコードの長手方向軸周りの回転と該長手方向軸に対する傾動とが可能なスリーブと、
上記ボールと上記スリーブとの間に設けられ、上記ボールと上記スリーブとの間を封止するシール部材と、
上記ボールと上記スリーブとの相対的位置を変更し、上記ボールと上記スリーブとの間の締付け力を調節する調節機構を操作する操作部と、
を具備したことを特徴とする内視鏡。
【請求項２】
上記調節機構は、上記ボール及び上記スリーブの一方に連結した雄ネジ部材と、この雄ネジ部材に螺合する雌ネジを有した回動管とを備え、
上記操作部は、上記回動管を回動する操作つまみを上記コネクタの外部に設けたことを特徴とする請求項１に記載の内視鏡。
【請求項３】
上記スリーブの開口縁と上記ボールの球状外面との間を覆う防塵カバーを設けたことを特徴とする請求項１または請求項２に記載の内視鏡。
【発明の詳細な説明】
【技術分野】
【０００１】
本発明は、光源装置やプロセッサ装置等の外部周辺装置に対し、ユニバーサルコードを接続するようにした内視鏡に関する。
【背景技術】
【０００２】
内視鏡はユニバーサルコードを光源装置に接続して使用する。ユニバーサルコードは内視鏡を使用する場合、内視鏡の動きに伴って捩れ易い。ユニバーサルコードが捩れると、そのユニバーサルコードの捩れによる反力が、使用中の内視鏡に加わり、内視鏡の操作を妨げる虞がある。  
そこで、ユニバーサルコードの捩れを解消するために、ユニバーサルコードを回転自在に保持する回転機構を、ユニバーサルコードのコネクタ部に設けたものが提案されている（特許文献１参照）。
【特許文献１】特開平７−１００１０５号公報
【発明の開示】
【発明が解決しようとする課題】
【０００３】
内視鏡の使用環境及び洗浄消毒等の管理上、特許文献１のように回転部を設けた場合、その回転部におけるシールを確保する必要がある。  
しかし、回転部のシール性を確保するためにシール部材を強く締め込むと、ユニバーサルコードの軸周りの回転が阻害され、ユニバーサルコードの回転が重くなる。また、ユニバーサルコード自体の動きに追従してユニバーサルコードが自然に回転できずにユニバーサルコードの捩れをスムーズに解消できない事態も起こる。この場合は術者または助士がユニバーサルコードを手で直接に操作してユニバーサルコードの回転を補助する作業が必要になる等、ユニバーサルコードの捩れを解消する操作や作業が煩雑になり易い。また、術者または助士の負担となっていた。さらに、ユニバーサルコードの捩れを解消するための操作に手間がかかり、結果として手術時間が長くなるという問題もあった。
【０００４】
一方、回転部を軽く回転させるために回転部材間に介在させたシール部材を締め込む力を弱めると、回転部のシール性能が不十分になり、その回転部での液密を確保できないようになり、洗浄水や消毒液または埃の侵入が阻止できないという問題が発生する。
【０００５】
本発明は上記事情に着目してなされたものであり、その目的とするところは、比較的簡単な構成でありながら、ユニバーサルコードを外部周辺装置に接続した状態で内視鏡を使用する場合はユニバーサルコードの軽快な回転性能が得られるとともに、外部周辺装置からユニバーサルコードを取り外した場合には回転部のシール性を確保できるようにした内視鏡を提供することにある。
【課題を解決するための手段】
【０００６】
請求項１に係る発明は、外部周辺装置に対し着脱可能なコネクタを備えたユニバーサルコードを有する内視鏡において、上記コネクタ及び上記ユニバーサルコードの一方に保持された、球状の外面を有したボールと、上記コネクタ及び上記ユニバーサルコードの他方に保持され、上記ボールの球状外面に被嵌する内面を有し、かつ上記ボールに対し、上記ユニバーサルコードの長手方向軸周りの回転と該長手方向軸に対する傾動とが可能なスリーブと、上記ボールと上記スリーブとの間に設けられ、上記ボールと上記スリーブとの間を封止するシール部材と、上記ボールと上記スリーブとの相対的位置を変更し、上記ボールと上記スリーブとの間の締付け力を調節する調節機構を操作する操作部と、を具備したことを特徴とする内視鏡である。
【０００７】
請求項２に係る発明は、上記調節機構は、上記ボール及び上記スリーブの一方に連結した雄ネジ部材と、この雄ネジ部材に螺合する雌ネジを有した回動管とを備え、上記操作部は、上記回動管を回動する操作つまみを上記コネクタの外部に設けたことを特徴とする請求項１に記載の内視鏡である。
【０００８】
請求項３に係る発明は、上記スリーブの開口縁と上記ボールの球状外面との間を覆う防塵カバーを設けたことを特徴とする請求項１または請求項２に記載の内視鏡である。
【発明の効果】
【０００９】
本発明によれば、ユニバーサルコードを外部周辺装置に接続した場合にはそのユニバーサルコードの軽快な回転性能が得られ、その内視鏡の操作性を高める一方、外部周辺装置からユニバーサルコードを取り外した場合には回転部の外部に対するシール性を確保できるようになる。
【発明を実施するための最良の形態】
【００１０】
以下、この発明を実施するための最良の形態（以下、実施形態という）について説明する。
【００１１】
図１に示すように、この実施形態に係る内視鏡１０の内視鏡本体１１は、体腔内に挿入される細径の挿入部１２と、この挿入部１２の基端部に配設された操作部１３と、この操作部１３に接続されたユニバーサルコード１４とを備える。ユニバーサルコード１４の延出先端には光源装置や制御装置等の外部周辺装置に対して着脱自在に接続される内視鏡用コネクタ１５が設けられている。
【００１２】
上記挿入部１２は、手元側から先端側へ順に配置される、可撓部１７と湾曲部１８と先端部１９を備える。可撓部１７は可撓性を備えた部分であり、湾曲部１８は操作部１３の湾曲操作用ノブ２４によって湾曲される部分である。操作部１３の先端には、挿入部１２の基端部分に覆うように被嵌した折止めチューブ２０が設けられている。
【００１３】
上記操作部１３は挿入部側に位置する部位の握持部２１と、該握持部２１の手元側に位置した操作ヘッド部２２とを備える。操作ヘッド部２２には上記ユニバーサルコード１４が接続されている。上記握持部２１の先端部位には処置具挿通用チャンネルに通じる挿入口２３が設けられている。操作ヘッド部２２には、上記湾曲操作用ノブ２４の他にビデオ操作スイッチや各種の操作釦等の操作手段２５が設けられている。
【００１４】
上記内視鏡用コネクタ１５は図１に示すように内視鏡用光源装置３０に接続される。内視鏡用コネクタ１５には他の周辺装置としてのプロセッサ装置（図示せず）に接続する電気ケーブル（コード）３１の電気コネクタ３２が着脱自在に接続されている。上記内視鏡用光源装置３０には、内視鏡用コネクタ１５を接続するコネクタ受け部３５が設けられ、このコネクタ受け部３５は上記コネクタ１５を着脱可能に接続する。
【００１５】
図２に示すように、上記コネクタ１５は、密閉した内部空間を有する本体ケース４０を有し、この本体ケース４０の外周部分は、手で把持可能な把持部４１となっている。本体ケース４０の先端には、ライトガイド接続管４３及び吸引口金４４を備えたコネクタ接続部４５が設けられている。このコネクタ接続部４５を図１に示す光源装置３０のコネクタ受け部３５に差し込んでコネクタ１５を光源装置３０に接続する。ライトガイド接続管４３及び吸引口金４４はコネクタ受け部３５に対し異なる位置で差し込むようにしているので上記コネクタ１５は光源装置３０のコネクタ受け部３５に接続すると、そのコネクタ受け部３５に対する回転が阻止され、コネクタ受け部３５に接続したときの向きも決まる。つまり、上記コネクタ１５は上記光源装置３０に対し、決まった位置に固定的な状態で着脱可能に接続されるようになっている。
【００１６】
次に、図２（Ａ）（Ｂ）（Ｃ）を参照して、ユニバーサルコード１４と、コネクタ１５とを接続する折止め回転機構の構造について具体的に説明する。  
上記コネクタ１５の本体ケース４０において、ユニバーサルコード１４側に位置する端部には円筒状に形成した支持管５１が後方へ延びて形成されている。この支持管５１にはユニバーサルコード１４の先端を接続するボールジョイント５２が組み付けられる。ボールジョイント５２は球状の内面と外面を有する球状のスリーブ５３と、同じく球状の外殻からなる中空の結合用ボール５４とを備える。そして、スリーブ５３と結合用ボール５４は該スリーブ５３の球状内面と該結合用ボール５４の球状外面とが略密に嵌合する球面すべり対偶で連結される。スリーブ５３の球状内面と、結合用ボール５４の球状外面とは略同心的な球中心Ｏを、その回転中心として形成されているので、結合用ボール５４はスリーブ５３に対し、上記球中心Ｏを回転中心として三次元的に回転する。
【００１７】
また、スリーブ５３の内面と結合用ボール５４の外面との嵌合部間にはその嵌合部間を封止するための弾性を有する材料でリング状に形成したシール部材５５が設けられている。シール部材５５は結合用ボール５４の外面に形成した周回溝５５ａに嵌め込まれ、結合用ボール５４の外面に周回するリング状に取り付けられる。
【００１８】
上記結合用ボール５４の基端部には筒状に形成された筒状部５６が一体的に形成されている。この筒状部５６はユニバーサルコード１４の先端に接続された接続管５７の先端部分の外周に被嵌して該外周に密着して取り付けられる。筒状部５６の内面と、接続管５７の外周との間にはその間を封止するシール部材５８が設けられている。また、接続管５７はユニバーサルコード１４の芯材５９の外周に被嵌しており、この接続管５７と芯材５９との間には別の気密用シール部材６０が介在して接続管５７と芯材５９との間を封止する。このため、ユニバーサルコード１４と結合用ボール５４とは外部に対し、液密に封止された密閉した状態で接続される。
【００１９】
また、結合用ボール５４はそのボールの内空部通り配置された連結アーム６１により上記芯材５９に対し固定的に接続される。つまり、連結アーム６１の先端を、結合用ボール５４の部材に係止し、連結アーム６１の基端を、上記芯材５９に対し、ビス６２により固定する。これにより、連結アーム６１は結合用ボール５４と芯材５９を連結し、結合用ボール５４をユニバーサルコード１４に位置決め固定して保持する。
【００２０】
一方、結合用スリーブ５３は、コネクタ１５の支持管５１内に差し込まれた操作管６５の一端に固定的に取着して保持され、操作管６５と一緒に上記ユニバーサルコード１４の長手軸Ｌ方向への移動可能にコネクタ１５に対し保持される。上記支持管５１の突出し先端にはスリーブ受け部材７１が取り付けられている。このスリーブ受け部材７１は環状に形成された部材からなり、支持管５１の突き出し端部内に嵌め込まれる、外径が小径の嵌込み部７２の部分と、支持管５１の突出し先端より突き出した、外径が太径の先端部７３となる部分とが形成されている。そして嵌込み部７２の部分はピン７５により支持管５１に対し取り付け固定される。
【００２１】
また、上記支持管５１の先端より突き出した先端部７３には上記結合用スリーブ５３の球面状外面に突き当たる当接可能なテーパー面７７が形成されている。テーパー面７７と、このテーパー面７７が当接する結合用スリーブ５３の球面状の外面との間には周回するリング状のシール部材７４が介在され、結合用スリーブ５３とスリーブ受け部材７１との間を液密に封止する。シール部材７４は結合用スリーブ５３の球面状外面に形成した周回溝７６に嵌め込まれ、該結合用スリーブ５３に固定されているが、スリーブ受け部材７１側に取り付けるようにしてもよい。
【００２２】
上記スリーブ受け部材７１に対し上記操作管６５が軸周りに回転しないように該操作管６５を軸方向へのみ案内するガイド規制手段を設けている。このガイド規制手段として、例えば、スリーブ受け部材７１と操作管６５の一方の部材に上記長手軸Ｌ方向に沿うキー溝６３を設け、他方の部材にはそのキー溝６３に嵌まり込むキー６４を形成する。
【００２３】
上記支持管５１内には上記長手軸Ｌ周りに回動可能に取り付けられた回動管７８を設ける。この回動管７８内には上記結合用スリーブ５３の基端部が延びてきてその延長部分が嵌め込まれ、結合用スリーブ５３の延長部分と回動管７８の両者は後述するようにネジ結合される。つまり回動管７８の内面には雌ネジ９８が形成される。上記結合用スリーブ５３の延長部分の外周には上記雌ネジ９８が螺合する雄ネジ９９が形成される。そして上記回動管７８を回転させたときに雌ネジ９８と雄ネジ９９の螺合によるネジ送り作用により上記結合用スリーブ５３を上記長手軸Ｌ方向へ移動させる進退移動操作装置（調節機構）を構成する。この調節機構を操作することにより、上記スリーブ５３と上記ボール５４との相対的位置を変更し、上記スリーブ５３と上記ボール５４との間の締付け力を調節する。
【００２４】
上記回動管７８は上記支持管５１に対し上記長手軸Ｌの方向での定位置で上記長手軸Ｌ周りに回転可能な状態で取り付けられている。すなわち、図２（Ａ）に示すように、上記支持管５１には上記回動管７８に接続した操作ピン９１が設けられ、これらは上記回動管７８を回動させる回転用操作部となっている。操作ピン９１は上記長手軸Ｌの周回方向に沿って上記支持管５１に切り欠き形成した規制溝９２に嵌め込まれ、その規制溝９２に沿ってのみ、上記長手軸Ｌの周回方向に移動できるように回転位置が規制される。上記規制溝９２は図２（Ｃ）に示すように、上記支持管５１の全周に連ならずに３６０°未満の範囲で形成されており、操作ピン９１はその範囲で回動範囲が規制される。規制溝９２を形成しない支持管５１の部分は操作ピン９１が当たり、これにより回動管７８の回動終端を規制するストッパ９３を形成する。しかして、これらにより、上記回動管７８を、上記長手軸Ｌの方向の定位置で、操作ピン９１がストッパ９３に当たる位置を両方向の終端として上記長手軸Ｌ周りに３６０°未満の範囲で、上記長手軸Ｌの周回方向へ回転可能な回転規制機構を構成している。
【００２５】
また、図２（Ａ）（Ｃ）に示すように、上記操作ピン９１の一端部分は上記支持管５１の外方へ突き出しており、この突き出し端には該操作ピン９１を回動するための操作つまみ９４が形成されている。そして操作つまみ９４により操作ピン９１を介して上記回動管７８を回動する操作部を構成している。この操作つまみ９４により操作ピン９１を上記長手軸Ｌの周りに回して上記回動管７８を回転させる。この操作により、上記結合用スリーブ５３を上記長手軸Ｌ方向へ移動させることができる。上記回動管７８の外面と、該回動管７８を受ける上記支持管５１の内面との間にはその間を液密に封止するためのシール部材７９が介在している。また、上記規制溝９２が外部に開放しないようにその規制溝９２の開口部分を覆う筒状のカバーを、支持管５１の外周に回動可能に被嵌し、このカバーまたは該カバーに設けた操作釦等の操作部により上記操作ピン９１を移動操作するようにしてもよい。このようにボールジョイント５２の部分は上述したシール部材等により外部に対してシールされており、洗浄水や消毒液または埃の侵入が極力に阻止される液密な構造としてある。
【００２６】
また、図３及び図４に示すように、スリーブ５３の先端開口縁には防塵用カバー９５を設け、この防塵用カバー９５により結合用ボール５４の外面とスリーブ５３の先端との間に生じる隙間を覆うようにしている。防塵用カバー９５はスリーブ５３の先端縁に固定する基部９６と、この基部９６に一体に連設された柔軟で弾性を有したフランジ状の舌片９７とを備え、フランジ状の舌片９７を結合用ボール５４の外周面に該外周面の動きを許容するように軽く押し当てるようになっている。防塵用カバー９５の基部９６はスリーブ５３の先端縁に形成した取り付け溝６６に嵌め込まれ、そこに接着等により固定される。そして防塵用カバー９５は結合用ボール５４の外面とスリーブ５３の先端との間に発生する隙間を覆い、常にその隙間を塞ぐように自らの復元力で結合用ボール５４の外周面に押し当たるように付勢されている。
【００２７】
次に、ユニバーサルコード１４と、コネクタ１５との接続部の作用について説明する。  
まず、内視鏡１０を使用する場合、ユニバーサルコード１４のコネクタ１５を、光源装置３０のコネクタ受け部３５に差し込んで、内視鏡１０と光源装置３０を連結する。そして、ユニバーサルコード１４が軽く回転できるように調節機構を調節する。つまり、操作つまみ９４を操作して回動管７８を回転し、この回動管７８に螺合した操作管６５を、結合用ボール５４側へ押し出すようにする。すると、結合用スリーブ５３はそれ自身の弾性復元力で膨らみ変形して結合用スリーブ５３の外面を締め付けていたスリーブ受け部材７１のテーパー面７７への押し当て力が弱まり、結合用ボール５４を締め付ける力が弱まるようになる。このため、スリーブ５３の内面と結合用ボール５４の外面との摩擦力が小さくなり、結合用ボール５４は軽く回転可能となる。
【００２８】
そして、ユニバーサルコード１４はその回転可能となった結合用ボール５４に接続されているので、ユニバーサルコード１４はその軸周りに軽く回転できる状態になる。したがって、内視鏡を使用中、ユニバーサルコード１４に捩れが生じた場合にはその捩れたユニバーサルコード１４の部分がコネクタ１５に対して軸周りに回転するので、そのユニバーサルコード１４の捩れを解消し、ユニバーサルコードの軽快な回転性能が得られる。
【００２９】
また、結合用ボール５４は、スリーブ５３に対してユニバーサルコード１４が傾く向きにも回動（傾動）できるので、ユニバーサルコード１４はコネクタ１５に対して軸方向へ傾くことができる。したがって、ユニバーサルコード１４がコネクタ１５に対して傾く向きに曲げられる場合に折止め機能を奏し、コネクタ１５に接続するユニバーサルコード１４の接続部付近での折れを防止できる。つまり、ユニバーサルコード１４とコネクタ１５とを折止め回転機構により接続するのでユニバーサルコードの過度な折れと捩れを阻止できる。
【００３０】
一方、内視鏡１０を使用した後または特に内視鏡１０を洗浄消毒する場合にはスリーブ５３とボール５４とを締め付けてその間を液密に封止するようにする。つまり、操作部９４を操作して回動管７８を回転し、この回動管７８に螺合した操作管６５を、支持管５１側へ引き込むと、結合用スリーブ５３の外面が、スリーブ受け部材７１のテーパー面７７に押し当たり、結合用スリーブ自体が弾性的に変形して結合用ボール５４を抱き込むように締め付ける。すると、スリーブ５３の内面と、結合用ボール５４の外面とが密に嵌合するようになるとともに、スリーブ５３とボール５４の間に位置するシール部材５５が押し潰される状態になるので、スリーブ５３の内面と結合用ボール５４の外面との間は液密に封止される。このため、外部から洗浄水や消毒液または埃の侵入が極力に阻止される密閉状態になり、外部に対する液密を確保できるので、内視鏡の洗浄や消毒が可能になる。なお、スリーブ受け部材を押し当てて結合用スリーブ自体を変形するが、この変形を確保するために結合用スリーブに薄肉部やスリット部を部分的に形成するようにしてもよい。
【００３１】
本実施形態によれば、ユニバーサルコード１４を外部周辺装置に接続した場合にはそのユニバーサルコード１４の軽快な回転性能が得られ、その内視鏡１０の操作性を高める一方、外部周辺装置からユニバーサルコード１４を取り外した場合には回転部の外部に対するシール性を確保できる。また、スリーブ５３の先端開口縁に防塵用カバー９５を設けたので、ボール５４の外面とスリーブ５３の先端との間における隙間を覆い、スリーブ５３とボール５４とを緩めて内視鏡を使用する場合、その隙間から埃等が入り込まない。
【００３２】
ところで、ユニバーサルコードとコネクタとを接続するジョイント構造において、ユニバーサルコード１４をその長手軸Ｌの周りに回動する捩れ防止のみで足りる場合はユニバーサルコード１４を傾動させる必要がないので、防塵用カバーを、スリーブ５３側ではなく、結合用ボール５４の外面に取り付けるようにしてもよい。この一例を図５及び図６に示す。この種の防塵用カバー１００は略環状に形成した基部１０１となる部分を、結合用ボール５４の外面にその軸周りに形成した周回溝１０２に嵌め込み固定するとともに、基部１０１に連設されたフランジ状の舌片１０３を、結合用ボール５４の外面から立ち上がるように突き出して配設するようにした。フランジ状の舌片１０３は、結合用ボール５４の外面からフランジ状に立ち上がり、結合用ボール５４の外面と、スリーブ５３の先端との間を覆う。もっとも、この形態の防塵用カバー１００でもフランジ状の舌片１０３がスリーブ５３内に入り込める柔軟性と形のものであれば、ユニバーサルコード１４が傾動する際にスリーブ５３に対してボール５４を傾動させることも可能である。
【００３３】
図７及び図８はユニバーサルコード１４の途中に組み込む捩れ解除装置の例を示す。図７に示すように、ユニバーサルコード１４の途中において該コード１４は前後に分断され、この分断された前側コード部１１１ａと後側コード部１１１ｂの両者は後述する捩れ解除装置１１０によってユニバーサルコード１４の長手方向軸周りに相対的に回動可能な状態で接続されている。
【００３４】
すなわち、前側コード部１１１ａの先端には前側連結管１１２ａを取り付け、後側コード部１１１ｂの後端には後側連結管１１２ｂを取り付ける。そして前側連結管１１２ａの突出し端部と、後側連結管１１２ｂの突出し端部とを、ユニバーサルコード１４の長手方向軸周りに相対的に回動可能に被嵌する。また、前側連結管１１２ａと後側連結管１１２ｂとの嵌合部における一方、ここでは内側に位置する後側連結管１１２ｂには規制ピン１１５を、前側連結管１１２ａの方へ突き出して取着し、前側連結管１１２ａにはその規制ピン１１５を嵌め込む規制溝１１６を切り欠き形成する。規制溝１１６は図６に示すように、３６０°未満の角度の範囲で前側連結管１１２ａの軸周りに周回して形成されている。つまり規制ピン１１５は規制溝１１６内において３６０°未満の角度の範囲で移動可能であり、その規制された角度の範囲内で前側連結管１１２ａと後側連結管１１２ｂとはユニバーサルコード１４の長手方向軸周りに回動可能である。
【００３５】
また、この捩れ解除装置１１０の部分は図７に示すように、ゴム等の柔軟性材料によって管状に形成した被覆部材１１７によって覆われている。被覆部材１１７は柔軟であるため、前側コード部１１１ａと後側コード部１１１ｂとが相対的に捩れてもその捩れを吸収する。
【００３６】
被覆部材１１７の両端は糸巻き接着部１１８ａ，１１８ｂにより前側連結管１１２ａまたは後側連結管１１２ｂと一緒に前側コード部１１１ａまたは後側コード部１１１ｂに締め付けて固定されている。
【００３７】
そして、前側コード部１１１ａと後側コード部１１１ｂとが内視鏡の使用中に捩れると、ユニバーサルコード１４の長手方向軸周りに相対的に回動してその捩れを解消する。
【００３８】
この捩れ解除装置１１０はユニバーサルコード１４の途中に設けたが、その場合に限らず、ユニバーサルコード１４の基端またはコネクタ１５との間に配設するようにしてもよい。
【００３９】
なお、本発明は前述した実施形態のものに限定されるものではなく、他の形態にも適用が可能である。
【図面の簡単な説明】
【００４０】
【図１】本発明の実施形態に係る内視鏡を概略的に示す説明図である。
【図２】同実施形態に係る内視鏡のユニバーサルコードをそのコネクタに接続する部分を示し、（Ａ）はその接続部の縦断面図、（Ｂ）は（Ａ）中のＢ−Ｂ線に沿う横断面図、（Ｃ）は（Ａ）中のＣ−Ｃ線に沿う横断面図である。
【図３】同実施形態に係る上記接続部の一部切り欠いて示す側面図である。
【図４】（Ａ）（Ｂ）は上記接続部の一部を拡大して示す縦断面図である。
【図５】他の実施形態に係る接続部の一部切り欠いて示す側面図である。
【図６】（Ａ）（Ｂ）は上記他の実施形態に係る接続部の一部を拡大して示す縦断面図である。
【図７】内視鏡のユニバーサルコードの途中に設けた捩れ防止装置の縦断面図である。
【図８】上記捩れ防止装置の斜視図である。
【符号の説明】
【００４１】
１０…内視鏡
１４…ユニバーサルコード
１５…コネクタ
３０…内視鏡用光源装置
３５…コネクタ受け部
５３…スリーブ
５４…ボール
５５…シール部材
【図１】
2009285304.tif 000003
【図２】
2009285304.tif 000004
【図３】
2009285304.tif 000005
【図４】
2009285304.tif 000006
【図５】
2009285304.tif 000007
【図６】
2009285304.tif 000008
【図７】
2009285304.tif 000009
【図８】
2009285304.tif 000010